(57)【要約】【課題】  従来の足裏ツボ刺激による健康器具では避けられない痛さや電気刺激による不快感がない健康器具の提供に係わる。【解決手段】    温浴の中において、前室付きの足型を用い、足形に直結された水ポンプあるいはホースで接続された水ポンプで循環される水流あるいは泡混じりの水を一旦前室に受け、足型に設けた空孔あるいはノズルを通して、連続的あるいは間歇的に、または、付加的に音波振動ないしは超音波振動を加えながら、足裏ツボに当て、柔らかく押圧刺激できる健康効果を簡便に達成できる健康器具を提供する。【選択図】図５
2009000492.tif 000002
【特許請求の範囲】
【請求項１】
足裏ツボに対応する位置に空孔、あるいはノズルを備え、且つ、直結された水ポンプあるいはホースにて接続された水ポンプからの圧力水を受けるための前室を備えた足型であって、足裏が該空孔あるいは該ノズルを塞ぐことのない構造をもつことを特徴とする足型。
【請求項２】
請求項１に記載する足型において、前室内の水流あるいは泡混じりの水流に音波振動あるいは超音波振動を付加するための音波発生器あるいは超音波発生器を付置することを特徴とする足型。
【発明の詳細な説明】
【技術分野】
【０００１】      本発明は、入浴中に足裏のツボを中心に水流、あるいは泡混じりの水の噴流を、あるいはさらに付加的に音波振動あるいは超音波振動を加えながら、当てることにより、ツボを適度に刺激して多くの健康上の諸効果を得るための健康機器にかかわる。
【背景技術】
【０００２】  従来技術としては、例えば以下の特許出願、実用新案出願例などが知られている。
適度な強さの脱着可能な刺激器具を選択し、所望のツボの位置にその器具を装着することにより、健康の維持、疲労回復をはかる足ツボ刺激スリッパ。
【特許文献１】特許出願平６−３３０８１４
【０００３】    所望の足ツボを継続的に押圧刺激可能であると共に、使用中に移動することもでき、さらに、足裏の悪臭を消失する、又は、足裏を保温することも可能な足裏用健康具
【特許文献２】特許出願２００５−１２０７１３
【０００４】    足の裏のツボを突起と自分の体重で刺激する足ツボ健康具であって、痛さを緩和するために突起高さを調整できる調整用具つき足ツボ健康用具
【非特許文献１】実用新案出願２００２−５７５４
【０００５】    足裏に点在するツボに、使用者の好み、疾患、症状に合わせて、また、その周波数、電圧（振幅）、周期を調整すると共にツボ位置を選択して電気パルスを印加して刺激できる足ツボ刺激装置
【非特許文献２】実用新案出願平６−１１６６０
【発明の開示】
【発明が解決しょうとする課題】
【０００６】    上述の如く、従来技術に係わる足ツボ健康具、刺激用具、装置等と称せられるものにおいては、足ツボに何らかの固形物を直接接触させ、体重を利用して押圧刺激したり、電気刺激を与えたりするなどの方法で足ツボの刺激が達成されることが特徴となっている。  しかしながら、これらの方法では、痛さが避けられない、電気刺激は耐えがたく、苦痛を感じるなどの問題点があり、汎用性に欠ける。
【０００７】  本発明は、このような点に鑑みてなされたものであり、目的は、主として温浴中の寛いだ雰囲気と血行の促進され易い温浴の中において、水ポンプで循環される水流あるいは泡混じりの水の噴流を連続的あるいは間歇的にあるいはさらに音波振動あるいは超音波振動を加えながら足裏ツボに当て柔らかく刺激することにより、足裏ツボ押圧刺激による健康効果を簡便に達成できる健康器具の提供に係わる。
【課題を解決するための手段】
【０００８】  上述の目的を達成する本発明は、足裏の種々のツボ相当部分に水噴流を当てるための空孔あるいはノズルを備えた足型などを主要部として、水噴流を供給するためのポンプおよび音波振動あるいは超音波振動発生器から構成される。
【０００９】  より具体的に述べると、前室を備えた、木製、プラスチック製などの足型を用い、その足型には、足裏のツボ位置に相当する部分に空孔あるいはノズルが設けられる。  前室には水ポンプが直結またはホースで接続され、温水あるいは泡混じりの温水を一旦受け入れ、前記の空孔あるいはノズルを通して足裏のツボに向けて放出される。  なお、前室内の水流には足型壁に取り付けられた音波振動発生器あるいは超音波振動発生器から振動を加えることが出来る。  また、ノズルは足型にネジ込み式などの方法で固定したり、あるいは、プラスチックの押し出し成型、鋳込み成型などの方法で足型と一体形成されることも出来る。
【発明の効果】
【００１０】  本発明の場合、足裏に与えられる刺激は、従来の固形物との接触による場合と比較して、明らかに痛さがなく、また、皮膚の損傷が全く無いという特長がある。  しかも、入浴中の寛いだ雰囲気と血行の促進される温浴中で用いられること、さらに、音波振動あるいは超音波振動を加えることで、足裏ツボの刺激効果と相乗的に、疲労回復効果・血行・リンパ液の流れの促進効果などを顕著に向上実現できる特長が発揮される。
【発明を実施するための最良の形態】
【００１１】  以下、本発明の実施の形態を図面に基づき詳細に説明する。【００１２】  はじめに、図１は、本発明の構成要素である、足型、３、および水ポンプ、１及び接続ホース、２を示す。【００１３】    図２は、本発明の構成要素である足型、５及び直結された水ポンプ、４を示す。【００１４】      図３〜図１１は、実施例の４種類の足型とそれらの断面図を示す。【００１５】      図３において、足型、６は、足裏に密着させるよりは、足裏から数ｍｍ〜数ｃｍの間隔をとって離して配置することが好ましい。そのために、足型の空孔あるいは放水ノズル以外の部分に上記の間隔を保持するためのスペーサー、８を設けることができる。このスペーサーは棒状、板状、スプリング状、その他の種々の形状が用いられる。  このスペーサーは足型に接着剤、ネジ止め、ねじ込みなど種々の方法で取り付けたり、プラスチックの押し出し成型、鋳込み成型などの方法を用いて一体のものとして設けることも出来る。このスペーさーは、前記の足裏と足型との距離を保持する目的とともに、ノズル、７を通して足裏に当たった後の水が速やかに流れるための流路を確保するためにも必要である。  ベルト、１０は、足型に足裏を定位置に保持するための補助具であって、脱着可能な止め具、例えばマジックテープ、１１などにより、足型に取り付けできる。【００１６】      図４は、図３において平面、ＡＢＣＤで切った時の足型の断面を示す。足型、６は、筺体であって、ノズル、７がネジ込み式で取り付けられている。  また、スペーサー、８が足型筺体に接着されている。前室、１２は受水ノズル、９を通して供給される圧水あるいは泡混じりの圧水を受け、ノズル、７を介して足裏に噴出するためのものである。使用される圧水は、足裏に痛みを感じない程度の圧力、水量が選ばれる。【００１７】      図５は、本発明の足型の別の例を示す。
足型、１３は足裏に接する面に凹凸が設けられている。即ち、山部分、１６と空孔、１４が設けられている谷部分、１７からなる構造をもっている。この凹凸構造により、足裏が直接空孔に接して空孔を塞ぐことが避けられ、同時に、空孔から噴出した水の排水路が確保される。【００１８】    図６は、図５において、平面、ＥＦＧＨで切った時の足型の断面を示す。足型、１３は筺体であって、空孔、１４が設けられている。前室、１８は、受水ノズル、１５を介して供給される圧水あるいは泡混じりの圧水を受け、空孔、１４を通して足裏ツボに噴出するためのものである。【００１９】    図７は、本発明の足型を示す。  足型、１９は枠、２３が図のように取り付けられ、枠の一面に張られたネット、２０に足裏を乗せた状態でノズル、２１から噴出される圧水をツボ部分に受ける。  本足型は湯船などの底に置かれた状態で使用できる。【００２０】    図８は、図７において、平面、ＩＪＫＬで切った時の足形の断面を示す。  足型、１９は筺体であって、ノズル、２１が設けられている。  前室、２４は、受水ノズル、２２を介して供給される圧水あるいは泡混じりの圧水を受け、ノズル、２１を通して足裏ツボに噴出するためのものである。【００２１】      図９は、足型、２５には、水ポンプ、２６と超音波振動発生器、２７が取り付けられている。【００２２】  図１０の足型、２５の正面には、空孔、２８が設けられている。  そして、足裏に接する面に凹凸が設けられている。即ち、山部分、２９と空孔が設けられている谷部分、３０からなる構造をもっている。この凹凸構造により、足裏が直接空孔に接して空孔を塞ぐことが避けられ、同時に、空孔から噴出した水の排水路が確保される。【００２３】  図１１は、図１０において、平面、ＭＮＯＰで切った時の足型の断面を示す。足型、２５は筺体であって、空孔、２８が設けられている。前室、３１内の水流あるいは泡混じりの圧水は、空孔、２８を通して足裏ツボに噴出する。【００２４】  以上、本発明の実施例を説明したが、本発明の範囲はこれに限定されるものではない。例えば、足型の大きさは子供用から成人の男性用まで、種々のものが製造される。  また、空孔の代わりにノズルを用いても良いし、空孔とノズルを混ぜて用いることも出来る。また、足型への水ポンプあるいは音波振動発生器あるいは超音波振動発生器の取り付け位置、取り付け方法、受水ノズルの取り付け位置および足型の形状も実施例に限定されない。
【図面の簡単な説明】
【００２５】
【図１】  本発明の機器構成を示す
【図２】  本発明の機器構成を示す
【図３】  実施例足型
【図４】  図３において平面ＡＢＣＤによる切断横断面
【図５】  実施例足型
【図６】  図５において平面ＥＦＧＨによる切断横断面
【図７】  実施例足型
【図８】  図７において平面ＩＪＫＬによる切断横断面
【図９】  実施例足型の裏面図
【図１０】  実施例足型の正面図
【図１１】  図１０において平面ＭＮＯＰによる切断横断面
【符号の説明】
【００２６】［１］  水ポンプ
［２］  接続ホース
［３］  足型
［４］  水ポンプ
［５］  足型
［６］  足型
［７］  ノズル
［８］  スペーさー
［９］  受水ノズル
［１０］  ベルト
［１１］    止め具
［１２］  前室
［１３］  足型
［１４］  空孔
［１５］  受水ノズル
［１６］  山部分
［１７］  谷部分
［１８］  前室
［１９］  足型
［２０］  ネット
［２１］  ノズル
［２２］  受水ノズル
［２３］  枠
［２４］  前室
［２５］  足型
［２６］  水ポンプ
［２７］  超音波振動発生器
［２８］  空孔
［２９］  山部分
［３０］  谷部分
［３１］  前室
【図１】
2009000492.tif 000003
【図２】
2009000492.tif 000004
【図３】
2009000492.tif 000005
【図４】
2009000492.tif 000006
【図５】
2009000492.tif 000007
【図６】
2009000492.tif 000008
【図７】
2009000492.tif 000009
【図８】
2009000492.tif 000010
【図９】
2009000492.tif 000011
【図１０】
2009000492.tif 000012
【図１１】
2009000492.tif 000013